(57)【要約】【課題】機器のメンテナンスや配線の作業性が良好なラックマウント型機器収納箱を提供する。【解決手段】ラックマウント型機器収納箱１は、前面に開口２を有する箱体本体３と、箱体本体３の開口２を開閉自在に施蓋する扉体４と、箱体本体３の内部に配設され、機器５を支持するマウントアングル６と、マウントアングル６を前後動可能に支持して箱体本体３に固定する固定部材７とで構成する。マウントアングル６と固定部材７は略コ字状に形成され、固定部材７にマウントアングル６が嵌挿するようになっている。固定部材７の側板部の長孔２７にローレットネジ３１を挿通させてマウントアングル６に螺着し、マウントアングル６をスライドさせた際に抜け落ちないようにしている。機器５のメンテナンスや配線を行う場合はマウントアングル６を箱体本体３から引き出した状態で行う。【選択図】        図１
2005026372.tif 000002
【特許請求の範囲】
【請求項１】
前面に開口を有する箱体本体と、該箱体本体の開口を開閉自在に施蓋する扉体と、前記箱体本体の内部に配設され、機器の前面を側方に向けて支持するマウントアングルとを備えたラックマウント型機器収納箱において、前記マウントアングルを前後動可能に固定部材に設けたことを特徴とするラックマウント型機器収納箱。
【発明の詳細な説明】
【０００１】
【発明の属する技術分野】
本発明は、通信機器や電子機器等の各種機器の前面を側方に向けてマウントアングルに支持して収納する屋外用のラックマウント型機器収納箱に関する。
【０００２】
【従来の技術】
通常、通信機器や電子機器等の各種機器の前面を側方に向けてマウントアングルに支持して収納するラックマウント型機器収納箱は、機器のメンテナンスや配線作業がしやすいように前面と側面の両方が開放する構造になっている（例えば、特許文献１参照。）。しかしながら、この形状の機器収納箱では屋外に設置する場合に防水が困難であり、また、高価であるため、前面だけを開口した一般的な屋外用の機器収納箱が用いられる。（例えば、特許文献２参照。）。この機器収納箱に機器を収納するには、図３に示すように箱体本体１０３の背板に設けられた木板１１３に略コ字状のマウントアングル１０６を取付ネジ１２９によって螺着固定し、このマウントアングル１０６の側面板１１７の取付片１１８に機器１０５の前面が箱体本体１０３の側方を向くようにし、上面が箱体本体１０３の前方を向くようにしてフランジ部１１４を当接させ、フランジ部１１４の取り付け孔１１５にネジ１３４を挿通させて取付片１１８の取付孔１１９に螺着して取り付けていた。
【０００３】
【特許文献１】
特開２００１−３１３４７８号公報（第１頁、第１図）
【特許文献２】
特許第３２７８３４５号公報（第１図）
【０００４】
【発明が解決しようとする課題】
機器は前面又は背面で配線や操作を行うため、従来のラックマウント型機器収納箱では機器の全周が箱体で覆われているので作業スペースが狭く、機器設置後のメンテナンスや配線作業が非常にしづらいという欠点があった。
【０００５】
そこで上記問題点に鑑み、本発明の目的は、機器のメンテナンスや配線の作業性が良好なラックマウント型機器収納箱を提供することである。
【０００６】
【課題を解決するための手段】
上記目的を達成するために、前面に開口を有する箱体本体と、箱体本体の開口を開閉自在に施蓋する扉体と、箱体本体の内部に配設され、機器の前面を側方に向けて支持するマウントアングルとを備えたラックマウント型機器収納箱において、マウントアングルを前後動可能に固定部材に設けたことを特徴とする。
【０００７】
【発明の実施の形態】
ラックマウント型機器収納箱は、前面に開口を有する箱体本体と、箱体本体の開口を開閉自在に施蓋する扉体と、箱体本体の内部に配設され、機器の前面を側方に向けて支持するマウントアングルと、マウントアングルを前後動可能に支持して箱体本体に固定する固定部材とで構成する。
【０００８】
【実施例】
本発明に係るラックマウント型機器収納箱の実施例を図１〜図３の添付図面に基づいて説明する。
【０００９】
ラックマウント型機器収納箱１は、前面に開口２を有する箱体本体３と、箱体本体３の開口２を開閉自在に施蓋する扉体４と、箱体本体３の内部に配設され、機器５を支持するマウントアングル６と、マウントアングル６を前後動可能に支持して箱体本体３に固定する固定部材７とで構成している。
【００１０】
箱体本体３は、天板８と、底板９と、左右側板１０と、背板１１とで形成し、開口２の全周が外側方向に折り返されて水切り部１２が形成され、扉体４が水切り部１２の長手方向端部に蝶着されて屋外で使用できるようになっている。箱体本体３の内部の背板１１には木板１３が取り付けられている。
【００１１】
マウントアングル６に取り付けられる機器５は、例えば、ハブやルータやブリッジ等の通信機器やネットワーク環境監視装置等の電子機器であり、これらの機器５は前面両端から張り出したフランジ部１４に取り付け孔１５が２つずつ穿設され、この取り付け孔１５間の寸法はＥＩＡ規格によって定められている。
【００１２】
マウントアングル６は、長方形状の背面板１６の短手方向両辺を折曲して機器の左右側面を挟み込むように側面板１７を形成し、側面板１７の長手方向両辺を内側方向に折曲して取付片１８を形成し、この取付片１８の長手方向にＥＩＡ規格に準拠した多数の取付孔１９を穿設している。側面板１７の先端は張出部２０が外側方向に折曲形成され、中央に挿通孔２１が穿設されている。また、背面板１６の長手方向両辺は強度を確保するために内側に折曲形成されている。
【００１３】
固定部材７はマウントアングル６が嵌まるように背板部２２と側板部２３とで略コ字状に形成され、側板部２３の長手方向両辺はマウントアングル６の取付片１８の外面に摺接するように案内片２４が内側方向に折曲形成されている。また、側板部２３の先端は外側方向に張出部２５が折曲形成され、マウントアングル６の挿通孔２１と対向する位置にネジ孔２６が穿設されている。側板部２３の中央部は長手方向に平行な２本の長孔２７が形成されている。また、背板部２２の長手方向両辺は強度を確保するために内側に折曲形成され、背板部２２の４隅には取付片部２８が突設されている。取付片部２８は取付ネジ２９が挿通するためのネジ挿通孔３０が穿設されている。
【００１４】
こうして形成した固定部材７にマウントアングル６を嵌挿させ、固定部材７の長孔２７にローレットネジ３１を挿通させてマウントアングル６の側面板１７に穿設されたネジ穴３２に螺着してマウントアングル６を前後動可能に設ける。マウントアングル６を押し込み、固定部材７の張出部２５とマウントアングル６の張出部２０を当接させて挿通孔２１に固定ネジ３３を挿通させてネジ孔２６に螺着することによりマウントアングル６は固定される。固定部材７は取付片部２８のネジ挿通孔３０に取付ネジ２９を挿通させて木板１３に螺着することにより固定される。
【００１５】
機器５をマウントアングル６に取り付けるには、固定ネジ３３を取り外し、そして、ローレットネジ３１を緩めてマウントアングル６を手前に引き出す。マウントアングル６は引き出した際にローレットネジ３１が長孔２７の端部に当たって抜け落ちないようになっている。この状態で機器５の前面を箱体本体３の右側方又は左側方にして機器５の天面又は底面を箱体本体３の前方にしてマウントアングル６の取付片１８に機器５のフランジ部１４を当接させ、フランジ部１４の取り付け孔１５にネジ３４を挿通させて取付片１８の取付孔１９に螺着して取り付ける。マウントアングル６は箱体本体３の開口２の外に出るので取り付け作業がしやすく、また、設置後のメンテナンスや配線の作業もしやすい。作業が完了したらマウントアングル６を押し込み、固定ネジ３３で固定しておく。
【００１６】
尚、本実施例において、マウントアングルと固定部材を縦向きに取り付けて機器の前面が箱体本体の右側方又は左側方となるように支持したが、マウントアングルと固定部材を横向きに取り付けて機器の前面が上側方又は下側方となるように支持しても良い。また、箱体本体の背板に木板を取り付けて固定部材を固定するようにしたが、木板に替わってレールや金属板を用いても良いし、マウントアングルを固定部材に固定する際に固定ネジを用いたが、ラッチ等の固定部材を用いてもよく、また、マウントアングルをＥＩＡ規格に準拠するように形成したが、ＪＩＳ規格等の他の規格や任意の寸法に形成する等、ラックマウント型機器収納箱の形状及び構成について本発明の趣旨を逸脱しない範囲で適宜に変更して実施することも可能である。
【００１７】
【発明の効果】
以上説明したように、前面に開口を有する箱体本体と、箱体本体の開口を開閉自在に施蓋する扉体と、箱体本体の内部に配設され、機器の前面を側方に向けて支持するマウントアングルとを備えたラックマウント型機器収納箱において、マウントアングルを前後動可能に固定部材に設けたことにより、機器のメンテナンスや配線の作業性が格段に向上するという効果がある。
【図面の簡単な説明】
【図１】本発明に係るラックマウント型機器収納箱の斜視図である。
【図２】本発明に係るラックマウント型機器収納箱の分解斜視図である。
【図３】従来のラックマウント型機器収納箱の分解斜視図である。
【符号の説明】
１…ラックマウント型機器収納箱
２…開口
３…箱体本体
４…扉体
５…機器
６…マウントアングル
７…固定部材
【図１】
2005026372.tif 000003
【図２】
2005026372.tif 000004
【図３】
2005026372.tif 000005